(57)【要約】      （修正有）【課題】自然薯という栄養化の高い日本古来の植物を、休眠、日長条件を克服して通年で、効率よく栽培する。【解決手段】半割パイプ１に、垂直パイプ２を底から３ｃｍほど出して溶接し、二つの根、貯蔵根（可食部）６と吸収根５を分離し、貯蔵根は両側水槽のシートに挟み、発泡スチロール１５を芯にして、ポリエチレンシートに挟んだ間で、生育させる。水圧で押され、圧迫され土中にある状態に近い。一方吸収根５は、半割パイプ底の培土３の中で養分の吸収を行う。コンパクトに水槽１３に挟まれているから、栽培本数を増やしても、場所の増加にならない。【選択図】図２
2006180853.tif 000002
【特許請求の範囲】
【請求項１】
直径１００ｍｍ以上の塩ビパイプを縦に、半割にしたもの、又は樋状パイプの中央部に、パイプの長さ方向に１０ｃｍ間隔程度に直径１５ｍｍ以上の穴をあけ、穴に合った長さ６ｃｍ程度の塩ビパイプを３ｃｍ程度底から出して底に垂直に立て、水漏れしないように溶接する。この垂直パイプに、パーライト、珪藻土の焼成物イソライトといった培土を充填し、自然薯、長芋の貯蔵根、即ち食用に供される芋が入っていくようにする。吸収根は、半割パイプに充填した培土の中に根を伸ばしていき、垂直パイプに入らないようにした自然薯の養液栽培方法、及び装置。むかごを用いて、一本苗を育成する場合には、この半割パイプを赤土のベッドの上に置き、垂直パイプに培土を充填して、その上に、発芽むかごを置く。この場合も、貯蔵根は垂直パイプ経由で、土の中に入り、吸収根は横に広がって、半割パイプの底で養分を吸収する。
【請求項２】
鉄パイプ等を用いて堅牢に作った高さ１．２ｍ程度の底のある板枠の内側に、幅３ｍ程度の塩ビシート、ポリエチレンシート、農業用ＰＯフィルム等を半折にして、両端を封じて水漏れのないようにする。これを長い型枠に合わせて２槽並行に作る。この２槽の中間に、幅３ｍ程度の塩ビ、ポリエチレンのシートを半折にして厚さ１ｃｍ高さ１ｍ程度の発泡スチロール等を挟めるようにする。この発泡スチロール内蔵シートは、必要に応じて増やすが、増やしても水槽シートに水を満たすと、両側から圧迫されて、中央にある発泡スチロール内蔵シートはピタッとくっ付く。水槽シートは木枠に巻きつけて固定する。この様な水槽の上に
【請求項１】
で作成した、半割パイプを置き、発泡スチロール内蔵シートを、半割パイプの片側に巻きつけ、固定する。他の片側にも同様に発泡スチロール内蔵シートを巻く。半割パイプ、垂直パイプに培土を充填して、食用に供される貯蔵根が、垂直パイプ、培土を経由して、発泡スチロール内蔵シートで挟まれたシートの間で生育するような栽培方法及び装置。
【発明の詳細な説明】
【発明の詳細な説明】
【背景技術】
【０００１】  現行の自然薯栽培の技術は、パイプに無菌の土を詰めて、土中に傾斜に置き、その中を自然薯の貯蔵根が入っていく方法である。密植できない、パイプの埋設、土の充填等手間がかかるという欠点がある。栄養価の高い日本古来の植物、自然薯栽培の最終目標は、休眠、日長条件を克服した周年栽培である。そのためには、簡易ハウス内での養液栽培でなければならない。
先に出願（特願２００２−３８３６４７、識別番号５０３０５２４１６）した方法は養液栽培でありながら土を使用していた。手間がかかり、効率が悪かった。新しく改善した方法を出願する。
【装置の製作】
【０００２】  直径１００ｍｍ以上の塩ビパイプを縦割りにする。このパイプの半月中央部に１０ｃｍ間隔程度に直径１５〜５０ｍｍの穴をあける。この穴に合う直径のパイプを６ｃｍ程度の長さで、底から３ｃｍほど垂直に出して溶接し、水漏れしないようにする。この半割パイプ、垂直パイプに、パーライト、珪藻土の焼成品イソライト等を培土として充填し、養液栽培のベットにする。
【０００３】  貯蔵根の生育場所は次のようにして作る。堅牢な鉄パイプのコンクリート型枠を模して、幅７０〜８０ｃｍ、高さ１．２ｍ程度の木枠を作り、底を作る。その内側に厚さ０．１〜０．２ミリ程度、幅３ｍ程度の塩化ビニール、又は農業用ＰＯフィルムを半内折にし、両端をパッキンで水漏れしないようにし、高さ１ｍ程度の水槽を作る。これを木枠の長さ方向にそって、もう一つ作り、２槽が型枠の長さ方向に並行にならぶようにする。さらにこの２槽水槽シート間に、高さ１ｍ程度、厚さ１ｃｍ程度の発泡スチロールを挟めるようにした幅３ｍ程度のポリエチレン、塩ビシートを半内折にして入れる。この発泡スチロール内蔵シートは、半割パイプの数に合わせて作る。半割パイプが１本の場合は、２組である。密植をしたい場合、半割パイプの本数を２本、３本、４本、５本に増やすが、このとき発泡スチロール内蔵シートは４組、６組、８組、１０組にする。その数が多くても、両側の水槽に水を満せば、発泡スチロール内蔵シート層はピタッと互いにくっつく。水位を１ｍ位に保ち、２槽の各々２枚の水槽シートを木枠に巻いて、木枠に近い方を短く、発泡スチロール内蔵シート側のシートを長くすれば、水槽の上に型枠幅７０〜８０ｃｍの平面を作ることが出来る。
【０００４】  この様にして作った水槽の上に、半割パイプを置く。これには、半割パイプの横に固定用の鉄パイプ等を通すようにして、半割パイプの荷重が水槽にかからず、木枠、固定パイプにかかるようにする。１組の発泡スチロール内蔵シートを、半割パイプの片側に巻きつける。片側にも同様にまき付ける。半割パイプの垂直パイプから培土を充填し、水平となった水槽シートの上にパーライト、イソライトを充填すると、即ち半割パイプに巻き付けた発泡スチロール内蔵シートの内、外に培土を入れると、この発泡スチロール内蔵シートに傾斜を持たせることが出来る。図２はその状態を示している。これは培土の比重が１より小さいからできる。下に沈むことはない。垂直パイプから出た貯蔵根は、培土経由で発泡スチロール内蔵シートで挟まれた間に入っていく。この中で成長させられる。不織布を挟んでおいたほうが、給水した水の抜けが早い、過湿にならない。がこの場合細根、ヒゲ根が不織布に食い込む。
【０００５】  半割パイプにパーライト、イソライトを充填し、催芽した種芋の貯蔵根を垂直パイプに導入することは、難しいことではない。催芽して、種芋の下側半分に不定芽がある場合、１本のみ残した芽を、そのまま垂直パイプの上に置けばいい。もし不定芽が、種芋の上側にあれば、１本のみ残したこの種芋の不定芽を下にして、再度１〜２週間催芽期間を延ばせば、種芋の下になるように根、蔓は回り適応する、こうなった状態で、種芋を垂直パイプの上に置けば、貯蔵根は垂直パイプの中に入っていく。吸収根は半割パイプの長さ方向に広がる。もちろん、種芋の大きさを考慮した垂直パイプの直径でなければならない。これは自然薯が本来持っている性質で、自然に生えている自然薯の吸収根は土の表面を這うようにして伸び、貯蔵根は、直下に向かって伸びる性質がある。
【０００６】  傾斜を持たせた半割パイプは、３ｃｍの高さがあり溶接されているから、溶液が、垂直パイプに入らない。即ち、貯蔵根が肥料で汚染されない。垂直パイプ上のパーライト、イソライトにある厚みを持たせることが望ましい。それは貯蔵根の付根に、横に主吸収根が次いで補助吸収根が発生するからで、この吸収根を水平に延ばして、垂直パイプに入らず、半割パイプにそった培土のなかで確実に育てるためである。そのために垂直パイプにこれより高い多数の穴のあるリングを被せるか、網状リングで囲ってもよい。培土に保水性のあるものを入れているから、半割パイプの上から散水すれば、水のみの補給が出来、貯蔵根の乾きを防止できる。発泡スチロール内蔵シートは片側づつなので滞留水はない。根腐りは起こさない。
【０００７】  密植の割合を増やしたい場合、半割パイプの数を増やせばいい。収穫時、１本の半割パイプごとに、２組の発泡スチロール内蔵シートを外せば、１本パイプごとの芋の収穫が出来る。非常に楽である。半割りパイプは、幅広の板に垂直パイプを溶接し、溶液を流す場合に比し辺流がない。吸収根は培土の底で確実に養液を吸収する。水槽による、満水は夏場の地温の上昇を押さえる。これは夏場の施設園芸の泣き所の解消である。さらに半割パイプの底に冷却用のホースを入れておき、夏場の冷却、冬場の保温に使うことも可能である。
さらに、最終目標の周年栽培を目ざす場合、収穫後直ちに次の定植に向けて、この水槽を利用できる。交換するものといえば発泡スチロール内蔵のシート、その間に挟んだ不織布程度で、ただちに定植の準備が出来る。
【課題を解決するための手段】
【０００８】  自然薯栽培の最終目標は、栄養価の高い日本古来の植物を、休眠、日長条件を克服して通年で、効率よく栽培することである。それには、簡易ハウス内で簡単に金をかけずに栽培出来る方法でなければならない。出願した
【請求１項】
【請求２項】
はこれを可能にしている。半割パイプに垂直にパイプを差込、その高さを底がら３ｃｍ程度にすることにより、溶液が垂直パイプに入らないこと。不定芽は催芽すれば、定植時容易に貯蔵根をパイプに入れられること。さらにハウス内栽培では、出来る限り密植して効率をあげたい。半割ポイプの本数が増えても発砲スチロール内蔵シート数が増えるだけで、あまりコストアップにならない。さらに地温の上昇も防げる。
【０００９】  屋外で栽培する場合、蔓が団子状態になる、これは望ましいことではない。光合成上、葉は均一に光があたるのがのぞましい。上記栽培の場合、蔓を支える網をハウスの横に傾斜を持たせて広げることにより葉の層を均一に広げられて、それがかなえられる。このことは、炭酸ガスの施肥、冬季の補光にのぞましいことである。そしてこれらの装置が、耐久性が有り、毎年安定して使えること、収穫終了後、スムーズに次作定植への準備が出来る。
最後に味の問題であるが、それは次のような方法で解決する。有機栽培が重宝がられているが、牛糞、腐葉土、堆肥等を別の場所で醗酵させる、それに散水して、養分を水溶液として取り出し、希釈、これを循環養液に加えることにより味向上につなげる。なぜなら水溶にしなければ植物は吸収できないから。
【実施例】
【００１０】  自然薯は定植の１ヶ月前に、催芽用ベッドで、発芽させる。これが現行法である。これに見合わせて、簡易ハウス内に上記した型枠板を用いて、水槽、半割パイプを作る。半割パイプには傾斜を持たせる。高くしたい方に、たくさんパーライト、イソライトを水槽の上に充填する。４月末に、蔓の長さが１０ｃｍ程度になった種芋を、培土を充填した垂直パイプの上に置き、種芋が見えないようにする。蔓は半割パイプの上に固定した蔓の手となる網と連結する。簡易ハウスの縦方向に１３ｍの蔓の伸び場所を確保し、固定する。キュウリの手に用いる網でよい。定植後、イソライト、パーライトの上に断熱用の発泡スチロール板を置き、その上に遮光の黒衣を被せ、蔓を挟んでそれを洗濯バサミでつまむようにすれば、半割パイプの培土の地温上昇は防げる。春の保温にもなる。
傾斜をつけた半割パイプに溶液を循環させる。植物が吸収した水分の量に従い、蔓の延びた割合に従い、ポンプで穏かに、半割パイプの底に送液する。
【発明の効果】
【００１１】  半割パイプに、２列に千鳥状に４０ミリの穴をあければ、１ｍに２５個程度の種芋を植えることが出来る。半割パイプを４本使えば、さらに密植が可能である。はたしてどの程度の密植が最適かは、葉の込み具合で決定される。それゆえ、１水槽あたり、３本の半割パイプがいいのか、４本がいいのか、５本まで植えられるのか正確なテストができる。それをもとに栽培拡大する。養液の吸収量は種芋１本あたりどれだけか、正確に出せる。蔓は丸型簡易ビニールハウス内で傾斜に張ることになり、大きな面積を占める。出来る限り密植して、効率を上げたい。現行の地植えでは１０００ｍ２に２５００本、それに比し、３〜５倍密植できる。また炭酸ガスを与えて、光合成を速める場合、炭酸ガスの散逸を防ぐために、蔓、葉の体積以外の空間が小さいことが望ましい。冬場の補光も同様で、コンパクトにすればむらが少ない。
ハウスは夏場蔓を焦がすような高温になる、天井の開放、ハウスの遮光等工夫を要する。ハウス内での栽培が可能になることにより、害虫の侵入を防ぎ、ひいては減農薬につながる。
【図面の簡単な説明】
【００１２】
【図１】半割パイプに自然薯の種芋を定植した状態  貯蔵根は垂直パイプに入り、吸収根は半割パイプの中を伸びる
【図２】２本の半割パイプを用いての水槽内での貯蔵根（可食部）の成長
【図３】自然薯の無土養液栽培概略図
【符号の説明】
【００１３】  １  半割パイプ          ２  垂直パイプ
３  培土                ４  種芋（切芋）
５  吸収根              ６  貯蔵根（可食芋）
７  冷却・加温用ホース  ８  蔓
９  葉                １０  断熱・発泡スチロール
１１  水槽シート        １２  型粋・木枠
１３  水槽              １４  発泡スチロール内蔵シート
１５  発泡スチロール    １６  遮光の黒衣シート
１７  蔓用網            １８  循環パイプ
１９  養液タンク        ２０  循環ポンプ
【図１】
2006180853.tif 000003
【図２】
2006180853.tif 000004
【図３】
2006180853.tif 000005